(57)【要約】【課題】簡易な制御により設置された物体の回転駆動制御を行うことが可能な駆動装置を提供する。【解決手段】モータの駆動により中心軸を中心に回転される回転部と、前記回転部の回転角の情報を、回転角度に比例した情報として取得する回転角取得部と、前記回転角取得部が取得した回転角の情報に基づいて前記モータの駆動を制御する制御部と、を備える、駆動装置が提供される。【選択図】図１０
2019193516.tif 000002
【特許請求の範囲】
【請求項１】
モータの駆動により中心軸を中心に回転される回転部と、
前記回転部の回転角度の情報を、回転角度に比例した情報として取得する回転角度取得部と、
前記回転角取得部が取得した回転角の情報に基づいて前記モータの駆動を制御する制御部と、
を備える、駆動装置。
【請求項２】
前記回転角度取得部は、前記中心軸上に設けられる、請求項１に記載の駆動装置。
【請求項３】
前記回転角度取得部は、前記中心軸上に設けられるセンサである、請求項２に記載の駆動装置。
【請求項４】
前記制御部は、前記回転角度取得部が取得する回転角の情報が急激に変化する付近を避けて前記モータを止めるように駆動させる制御を行う、請求項２に記載の駆動装置。
【請求項５】
前記回転角の情報が急激に変化する付近とは、前記回転部が１回転する周期付近である、請求項４に記載の駆動装置。
【請求項６】
前記回転部は、非接触給電を行い、前記モータの駆動により回転する非接触給電部をさらに備え、
前記回転角度取得部は、回転に応じた前記非接触給電部の給電効率に基づいて前記回転部の回転角の情報を取得する、請求項１に記載の駆動装置。
【請求項７】
前記非接触給電部は、磁界を発生させる送信コイルと、前記送信コイルが発生させた磁界による電磁誘導により電流を発生させる受信コイルと、を備え、
前記回転角度取得部は、前記送信コイルと前記受信コイルとの形状の違いに起因する、回転に応じた給電効率の変化に基づいて前記回転部の回転角の情報を取得する、請求項６に記載の駆動装置。
【請求項８】
前記非接触給電部は、磁界を発生させる送信コイルと、前記送信コイルが発生させた磁界による電磁誘導により電流を発生させる受信コイルと、を備え、
前記回転角度取得部は、前記送信コイルと前記受信コイルとの間の間隔の違いに起因する回転に応じた給電効率の変化に基づいて前記回転部の回転角の情報を取得する、請求項６に記載の駆動装置。
【請求項９】
前記非接触給電部は、コイルが発生させる磁界の外部への放出を防ぐ防磁シートを備え、
前記回転角度取得部は、前記防磁シートの形状に起因する、回転に応じた給電効率の変化に基づいて前記回転部の回転角の情報を取得する、請求項６に記載の駆動装置。
【請求項１０】
前記防磁シートは、大きさが位置によって異なる複数の穴が開けられている、請求項９に記載の駆動装置。
【請求項１１】
モータの駆動により中心軸を中心に回転される回転部の回転角の情報を、回転角度に比例した情報として取得することと、
取得された回転角の情報に基づいて前記モータの駆動を制御することと、
を含む、駆動制御方法。
【発明の詳細な説明】
【技術分野】
【０００１】
本開示は、駆動装置および駆動制御方法に関する。
【背景技術】
【０００２】
設置された物体を所望の角度回転駆動させるための方法として、モータによってギアを回し、そのギアの回転によって物体を回転駆動させる方法がある。その物体に対する無線給電を採用すると、物体を所望の角度回転駆動させるための方法として、モータによって回転するギアに回転センサを設け、ギア比から回転角度を計算したり、原点位置のキャリブレーションを行ったりすることで回転角度を計算する方法がある。回転角度センサを開示した文献としては例えば特許文献１がある。
【先行技術文献】
【特許文献】
【０００３】
【特許文献１】特開２００６−３３７２０６号公報
【発明の概要】
【発明が解決しようとする課題】
【０００４】
しかし、ギア比からの回転角度の計算には多次元の関数計算が必要となり、また原点位置のキャリブレーションを行う必要もあることから、回転駆動のための制御が複雑になる。
【０００５】
そこで、本開示では、簡易な制御により設置された物体の回転駆動制御を行うことが可能な、新規かつ改良された駆動装置および駆動制御方法を提案する。
【課題を解決するための手段】
【０００６】
本開示によれば、モータの駆動により中心軸を中心に回転される回転部と、前記回転部の回転角度の情報を、回転角度に比例した情報として取得する回転角度取得部と、前記回転角取得部が取得した回転角の情報に基づいて前記モータの駆動を制御する制御部と、を備える、駆動装置が提供される。
【０００７】
また本開示によれば、モータの駆動により中心軸を中心に回転される回転部の回転角の情報を、回転角度に比例した情報として取得することと、取得された回転角の情報に基づいて前記モータの駆動を制御することと、を含む、駆動制御方法が提供される。
【発明の効果】
【０００８】
以上説明したように本開示によれば、簡易な制御により設置された物体の回転駆動制御を行うことが可能な、新規かつ改良された駆動装置および駆動制御方法が提供される。
【０００９】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】本開示の実施の形態に係る表示装置の外観例を示す説明図である。
【図２】同実施の形態に係る表示装置の外観例を示す説明図である。
【図３】同実施の形態に係る表示装置の外観例を示す説明図である。
【図４】同実施の形態に係る表示装置の外観例を示す説明図である。
【図５】同実施の形態に係る表示装置の外観例を示す説明図である。
【図６】同実施の形態に係る表示装置の外観例を示す説明図である。
【図７】同実施の形態に係る表示装置が横置きで置かれている様子を示す説明図である。
【図８】同実施の形態に係るクレードルの外観例を示す説明図である。
【図９】同実施の形態に係る表示装置がクレードルの上に設置されている状態を示す説明図である。
【図１０】本開示の実施の形態に係るクレードルの機能構成例を示す説明図である。
【図１１】本開示の実施の形態に係るクレードルの詳細な構成例を示す説明図である。
【図１２】回転駆動部の詳細な構成例を示す説明図である。
【図１３】回転駆動部を上面から見た説明図である。
【図１４】回転駆動部の回転角度と、回転角度取得部が取得する回転センサのセンサ値との関係例を示す説明図である。
【図１５】クレードルの詳細な構成例を示す説明図である。
【図１６】回転位置によって給電量を変化させる例を示す説明図である。
【図１７】クレードルの詳細な構成例を示す説明図である。
【図１８】受信コイルの例を背面から示す説明図である。
【図１９】送信コイルの例を背面から示す説明図である。
【図２０】図１８に示した受信コイルと、図１９に示した送信コイルとが重なり合った状態を平面図で示す説明図である。
【図２１】回転駆動部の回転角度と、受信コイルおよび送信コイルによる給電効率との関係例を示す説明図である。
【図２２】受信コイルの例を背面から示す説明図である。
【図２３】送信コイルの例を背面から示す説明図である。
【図２４】図２２に示した受信コイルと、図２３に示した送信コイルとが重なり合った状態を平面図で示す説明図である。
【図２５】本開示の実施の形態に係る防磁シートの形状の例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．本開示の実施の形態
１．１．表示装置の外観例
１．２．クレードルの構成例
２．まとめ
【００１３】
＜１．本開示の実施の形態＞
［１．１．表示装置の外観例］
まず、本開示の実施の形態に係る表示装置の外観例を説明する。図１〜図６は、本開示の実施の形態に係る表示装置の外観例を示す説明図である。
【００１４】
本開示の実施の形態に係る表示装置１００は、図１〜図６に示したように、底面が略正三角形の柱状の筐体を有する装置である。図１は、本開示の実施の形態に係る表示装置１００の正面図である。図２は、本開示の実施の形態に係る表示装置１００の背面図である。図３は、本開示の実施の形態に係る表示装置１００の右側面図である。図４は、本開示の実施の形態に係る表示装置１００の左側面図である。図５は、本開示の実施の形態に係る表示装置１００の平面図である。図６は、本開示の実施の形態に係る表示装置１００の底面図である。
【００１５】
本開示の実施の形態に係る表示装置１００は、正面に表示部１４０を有する。表示部１４０は、例えば液晶ディスプレイ等の薄型のディスプレイデバイスで構成されており、平面画像及び、裸眼方式による立体画像を表示することができるデバイスである。
【００１６】
また本開示の実施の形態に係る表示装置１００は、正面にセンサ部１３０を有する。センサ部１３０は、表示部１４０が表示するコンテンツを見ているユーザの状況を検出するために設けられているものである。本実施形態では、センサ部１３０は、撮像画像からユーザの状況を検出するためのイメージセンサと、センサ部１３０からユーザまでの距離を検出するためのＴｏＦ（Ｔｉｍｅ  ｏｆ  Ｆｌｉｇｈｔ）センサと、からなる。本開示の実施の形態に係る表示装置１００は、センサ部１３０によるセンシングの結果に基づいて、表示部１４０で表示する画像を平面画像にするか、立体画像にするか、を選択することが出来る。
【００１７】
本開示の実施の形態に係る表示装置１００は、底面が略正三角形の柱状の筐体を有することで、表示装置１００単体で、ユーザによる横置きでのコンテンツの視聴を容易に行わせることが出来る。図７は、本開示の実施の形態に係る表示装置１００が横置きで置かれている様子を示す説明図である。
【００１８】
本開示の実施の形態に係る表示装置１００は、底面にクレードルを接続することができる。図８は、本開示の実施の形態に係るクレードル２００の外観例を示す説明図である。
クレードル２００は、表示装置１００の底面と同様に略正三角形の底面を有する柱状の筐体を有している。
【００１９】
図９は、表示装置１００がクレードル２００の上に設置されている状態を示す説明図である。図９に示したように、表示装置１００は、クレードル２００の上に設置されることで、クレードル２００から電力の供給を受けることが出来る。またクレードル２００は、表示装置１００の長手方向を軸にして表示装置１００を回動させることが出来るよう構成されている。表示装置１００の回動は、ユーザの手によって行われても良く、表示装置１００がクレードル２００を駆動させることで行われても良い。
【００２０】
［１．２．クレードルの構成例］
続いて、本開示の実施の形態に係るクレードル２００の機能構成例について説明する。図１０は、本開示の実施の形態に係るクレードル２００の機能構成例を示す説明図である。以下、図１０を用いて本開示の実施の形態に係るクレードル２００の機能構成例について説明する。
【００２１】
図１０に示したように、本開示の実施の形態に係るクレードル２００は、外部データ取得部２１０と、回転角度取得部２２０と、制御部２３０と、モータ２４０と、回転駆動部２５０と、を含んで構成される。
【００２２】
外部データ取得部２１０は、クレードル２００の外部の装置、例えば表示装置１００などからデータを取得する。外部データ取得部２１０が外部の装置から取得するデータには様々なものがありうる。例えば、外部データ取得部２１０は、外部の装置から方向に関するデータを取得する。方向に関するデータは、外部の装置において取得されたデータであり、例えばクレードル２００に置かれた表示装置１００が、クレードル２００に対して時計回りに所望の角度の回転を指示するためのデータでありうる。
【００２３】
回転角度取得部２２０は、回転駆動部２５０の回転角度を取得する。例えば、回転角度取得部２２０は、回転駆動部２５０の回転角度を取得するためのセンサでありうる。回転駆動部２５０の回転角度を取得するためには、例えば回転駆動部２５０の中心軸上に磁石を備え、その磁石が発する磁束を磁気回転センサで捉えることにより行う。回転角度取得部２２０は、取得した回転駆動部２５０の回転角度を制御部２３０に送る。
【００２４】
制御部２３０は、外部データ取得部２１０が取得したデータや、回転角度取得部２２０から送られる回転角度に基づいてモータ２４０を駆動させる。例えば、外部データ取得部２１０が取得したデータが、１８０度回転させる指示に基づくデータであれば、制御部２３０は、回転角度取得部２２０から送られる回転角度によって、回転駆動部２５０が１８０度回転するまで、モータ２４０を駆動させる。
【００２５】
モータ２４０は、制御部２３０の制御によって動作するモータである。モータ２４０の動作によって回転駆動部２５０を回転駆動させることができる。
【００２６】
回転駆動部２５０は、モータ２４０の動作によって回転駆動する。モータ２４０の動作によって回転駆動部２５０が回転駆動することで、クレードル２００は、設置された物体（例えば表示装置１００）を回動させることができる。
【００２７】
以上、図１０を用いて本開示の実施の形態に係るクレードル２００の機能構成例について説明した。続いて、クレードル２００の、特に回転駆動部２５０の詳細な構成例を説明する。
【００２８】
図１１は、本開示の実施の形態に係るクレードル２００の詳細な構成例を示す説明図であり、特に回転駆動部２５０の構成例を側面から詳細に示した説明図である。また図１２は、回転駆動部２５０の詳細な構成例を示す説明図であり、回転駆動部２５０について、回転領域と固定領域とを分離して図示した説明図である。また図１３は、回転駆動部２５０を上面から見た説明図である。
【００２９】
モータ２４０が動作すると、ギア２６１が回転する。ギア２６１の回転に伴い、ギア２６１と噛み合っているギア２６２が回転する。ギア２６２の回転により、ギア２６２の下側でギア２６２と噛み合っているギア２６３が回転する。ギア２６４は固定されているので、ギア２６３の回転により、中心軸２５１を中心に回転駆動部２５０の回転領域が回動し、クレードル２００に設置された物体（例えば表示装置１００）が回動する。
【００３０】
なお、それぞれのギアの歯車の数は、図１１に示したものに限定されるものでは無い。またギアの数についても、図１１に示したものに限定されるものでは無い。
【００３１】
図１２に示したように、回転駆動部２５０は固定領域と回転領域とを有する。回転駆動部２５０の回転領域には円盤部２５６が設けられ、円盤部２５６の下面には受信コイル２５２と防磁シート２５４とが備えられている。また回転駆動部２５０の固定領域には送信コイル２５３と防磁シート２５５とが備えられている。受信コイル２５２は、送信コイル２５３が発生させた磁界による電磁誘導により電流を発生させる。また送信コイル２５３は、電流を流すことで電磁誘導により磁界を発生させる。
【００３２】
受信コイル２５２、送信コイル２５３、防磁シート２５４、２５５は、中心軸２５１を通すことが出来るように、いずれも中心部分に穴が開いている。そして、送信コイル２５３と防磁シート２５５とは、中心軸２５１の回転に応じて回転する。受信コイル２５２および送信コイル２５３により、クレードル２００に設置された装置に対する非接触給電を行う。防磁シート２５４、２５５は、受信コイル２５２や送信コイル２５３が発生させた磁界の外部への放出を防ぐ。
【００３３】
本開示の実施の形態では、回転駆動部２５０の中心軸２５１の上部に、回転駆動部２５０の回転領域の回転角度を取得するための回転角度取得部２２０を備える。すなわち、回転角度取得部２２０が取得した回転角度は、回転駆動部２５０の回転領域の回転角度に相当するものである。
【００３４】
従って、本開示の実施の形態に係るクレードル２００は、回転駆動部２５０の回転と、回転駆動部２５０の回転角度とを１対１で取得することができる。すなわち、本開示の実施の形態に係るクレードル２００は、制御部２３０によるモータ２４０の動作制御を容易に行うことができる。
【００３５】
回転角度取得部２２０は、回転駆動部２５０の回転角度の絶対値を取得することができる。例えば、ホールセンサ等の検出スイッチを、筐体正面等の所定位置に合わせることで原点を決めておく。そして回転角度取得部２２０は、中心軸２５１上に設けられる回転センサの値を使用することで、回転駆動部２５０の回転角度の絶対値を取得することができる。
【００３６】
図１４は、回転駆動部２５０の回転角度と、回転角度取得部２２０が取得する回転センサのセンサ値との関係例を示す説明図である。図１４に示したように、回転駆動部２５０の回転角度が０度から増加すると、増加に伴い回転センサのセンサ値も増加する。しかし、回転駆動部２５０の回転角度が３６０度になると、増加していた回転センサのセンサ値が０に戻る。従って、回転センサの周期値付近、すなわち、回転駆動部２５０の回転角度が３６０度付近では、センサ値が大きく変動しうる。センサ値が大きく変動する回転角度付近でモータ２４０の動作を止めてしまうと安定した回転制御ができない可能性がある。
【００３７】
そこで本実施形態では、制御部２３０は、回転センサの周期値付近を避けてモータ２４０の動作を止める制御を行っても良い。例えば制御部２３０は、３６０度の前後５〜１０度程度の範囲を避けてモータ２４０の動作を止める制御を行う。このような制御を行うことで、本実施形態に係るクレードル２００は安定した回転制御を行うことができる。
【００３８】
上述の例では、送信コイル２５３に対応する防磁シート２５５には中心軸２５１を通すために穴が開けられている。しかし、防磁シート２５５に穴が開けられていることにより給電効率が低下してしまう。
【００３９】
そこで、送信コイル２５３をギア２６４の背面に設置してもよい。図１５は、クレードル２００の詳細な構成例を示す説明図であり、特に回転駆動部２５０の構成例を側面から詳細に示した説明図である。図１５には、ギア２６４よりもさらに下に送信コイル２５３及び防磁シート２５５が設けられたクレードル２００の構成例が示されている。このように、送信コイル２５３をギア２６４の背面に設置することで防磁シート２５５に穴が不要となり、送信コイル２５３による給電効率の低下を防ぐことができる。
【００４０】
ここまでは、中心軸２５１の上部に回転センサを備えることで、回転駆動部２５０の回転角度を取得する構成を説明した。回転駆動部２５０の回転角度を取得するための構成は係る例に限定されるものでは無い。
【００４１】
例えば、受信コイル２５２と送信コイル２５３とによる給電量を一定では無く、回転駆動部２５０の回転に応じて変化させてもよい。受信コイル２５２と送信コイル２５３とによる給電量を、回転駆動部２５０の回転に応じて変化させていることで、給電量によって回転角度を特定することができる。すなわち、受信コイル２５２と送信コイル２５３とによる給電量を、回転駆動部２５０の回転に応じて可変とすること、給電機構のみで回転角度を取得することができる。
【００４２】
図１６は、回転位置によって給電量を変化させる例を示す説明図である。受信コイル２５２と送信コイル２５３のそれぞれについて、中心軸２５１から原点を所定量ずらす。受信コイル２５２は中心軸２５１からベクトルＲｒずらし、送信コイル２５３は中心軸２５１からベクトルＲｔずらしている。このように、受信コイル２５２と送信コイル２５３のそれぞれについて、中心軸２５１から原点を所定量ずらすことで、給電効率と回転角度との関係が１対１となる。そのため、給電量により回転角度が一意に決定する。
【００４３】
図１７は、クレードル２００の詳細な構成例を示す説明図であり、特に回転駆動部２５０の構成例を側面から詳細に示した説明図である。図１７には、受信コイル２５２と送信コイル２５３との間の隙間が一定では無く、場所によって変わっている様子が示されている。この受信コイル２５２と送信コイル２５３のそれぞれについて、図１６に示した様に中心軸２５１から原点を所定量ずらすことで、給電量により回転角度を取得できる。
【００４４】
図１８は、受信コイル２５２の例を背面から示す説明図である。図１９は、送信コイル２５３の例を背面から示す説明図である。そして図２０は、図１８に示した受信コイル２５２と、図１９に示した送信コイル２５３とが重なり合った状態を平面図で示す説明図である。
【００４５】
図２０に示したように受信コイル２５２と送信コイル２５３とは、それぞれ原点から所定量ずれた状態で重なり合っている。従って、モータ２４０の動作によって受信コイル２５２が回転すると、その回転に応じて受信コイル２５２と送信コイル２５３とが重なりあう領域が変化する。従って、回転角度取得部２２０は、受信コイル２５２の回転によって変化する給電量（給電効率）をモニタすることで、回転駆動部２５０の回転角度を求めることができる。
【００４６】
図２１は、回転駆動部２５０の回転角度と、受信コイル２５２および送信コイル２５３による給電効率との関係例を示す説明図である。図２１に示したように、回転駆動部２５０の回転角度が０度から増加すると、増加に伴い給電効率も増加し、１８０度を超えると給電効率が減少する。そして回転駆動部２５０の回転角度が３６０度に達すると、給電効率が再び増加に転じる。回転角度取得部２２０は、受信コイル２５２の回転によって変化する効率をモニタすることで、回転駆動部２５０の回転角度を求めることができる。
【００４７】
回転位置によって給電量を変化させる別の例を説明する。受信コイル２５２または送信コイル２５３の少なくとも一方について、形状を非対称にしたり、巻き数を変化させたりすることで、受信コイル２５２と送信コイル２５３とによる給電量を、回転駆動部２５０の回転に応じて変化させてもよい。
【００４８】
図２２は、受信コイル２５２の一例を背面から示す説明図である。図２３は、送信コイル２５３の一例を背面から示す説明図である。そして図２４は、図２２に示した受信コイル２５２と図２３に示した送信コイル２５３とが重なり合った状態を平面図で示す説明図である。
【００４９】
受信コイル２５２を、図２２に示した様に非対称の形状にし、送信コイル２５３を、図２３に示した様に線対称及び点対称の形状とすることで、受信コイル２５２と送信コイル２５３とによる給電量を、回転駆動部２５０の回転に応じて変化させることができる。
【００５０】
また本開示の実施の形態に係るクレードル２００は、防磁シートの形状や厚みを部分的に変更することで、防磁力に非対称性を持たせても良い。防磁シートの防磁力に非対称性を持たせることで、受信コイル２５２の回転によって給電量（給電効率）が変化する。
【００５１】
従って、回転角度取得部２２０は、受信コイル２５２の回転によって変化する給電量（給電効率）をモニタすることで、回転駆動部２５０の回転角度を求めることができる。防磁シートの形状や厚みを部分的に変更するだけで回転駆動部２５０の回転角度を求めることができるので、本開示の実施の形態に係るクレードル２００は、低コストで回転駆動部２５０の回転角度を求めることが可能となる。
【００５２】
図２５は、本開示の実施の形態に係る防磁シート２５４、２５５の形状の例を示す説明図である。このように、防磁シート２５４に複数の穴２５８を開け、さらにそれらの穴２５８の形状を場所によって変化させることで、防磁シート２５４の防磁力に非対称性を持たせることができる。そして、このような防磁シート２５４を設けることで、本開示の実施の形態に係るクレードル２００は、受信コイル２５２の回転によって給電量（給電効率）を変化させることが出来る。
【００５３】
＜２．まとめ＞
以上説明したように本開示の実施の形態によれば、回転駆動部２５０の回転と、回転駆動部２５０の回転角度とを１対１で取得して、制御部２３０によるモータ２４０の動作制御を容易に行うことができるクレードル２００が提供される。
【００５４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５５】
例えば、上記実施形態ではクレードル２００について示したが、本開示は係る例に限定されるものでは無い。すなわち、モータの駆動によって回転運動を行う物体全般に対して、上述のような駆動制御を行うことが可能である。
【００５６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５７】
なお、以下のような構成も本開示の技術的範囲に属する。
（１）
モータの駆動により中心軸を中心に回転される回転部と、
前記回転部の回転角度の情報を、回転角度に比例した情報として取得する回転角度取得部と、
前記回転角取得部が取得した回転角の情報に基づいて前記モータの駆動を制御する制御部と、
を備える、駆動装置。
（２）
前記回転角度取得部は、前記中心軸上に設けられる、前記（１）に記載の駆動装置。
（３）
前記回転角度取得部は、前記中心軸上に設けられるセンサである、前記（２）に記載の駆動装置。
（４）
前記制御部は、前記回転角度取得部が取得する回転角の情報が急激に変化する付近を避けて前記モータを止めるように駆動させる制御を行う、前記（２）または（３）に記載の駆動装置。
（５）
前記回転角の情報が急激に変化する付近とは、前記回転部が１回転する周期付近である、前記（４）に記載の駆動装置。
（６）
前記回転部は、非接触給電を行い、前記モータの駆動により回転する非接触給電部をさらに備え、
前記回転角度取得部は、回転に応じた前記非接触給電部の給電効率に基づいて前記回転部の回転角の情報を取得する、前記（１）に記載の駆動装置。
（７）
前記非接触給電部は、磁界を発生させる送信コイルと、前記送信コイルが発生させた磁界による電磁誘導により電流を発生させる受信コイルと、を備え、
前記回転角度取得部は、前記送信コイルと前記受信コイルとの形状の違いに起因する、回転に応じた給電効率の変化に基づいて前記回転部の回転角の情報を取得する、前記（６）に記載の駆動装置。
（８）
前記非接触給電部は、磁界を発生させる送信コイルと、前記送信コイルが発生させた磁界による電磁誘導により電流を発生させる受信コイルと、を備え、
前記回転角度取得部は、前記送信コイルと前記受信コイルとの間の間隔の違いに起因する回転に応じた給電効率の変化に基づいて前記回転部の回転角の情報を取得する、前記（６）に記載の駆動装置。
（９）
前記非接触給電部は、コイルが発生させる磁界の外部への放出を防ぐ防磁シートを備え、
前記回転角度取得部は、前記防磁シートの形状に起因する、回転に応じた給電効率の変化に基づいて前記回転部の回転角の情報を取得する、前記（６）に記載の駆動装置。
（１０）
前記防磁シートは、大きさが位置によって異なる複数の穴が開けられている、前記（９）に記載の駆動装置。
（１１）
モータの駆動により中心軸を中心に回転される回転部の回転角の情報を、回転角度に比例した情報として取得することと、
取得された回転角の情報に基づいて前記モータの駆動を制御することと、
を含む、駆動制御方法。
【符号の説明】
【００５８】
１００  ：表示装置
１３０  ：センサ部
１４０  ：表示部
２００  ：クレードル
２１０  ：外部データ取得部
２２０  ：回転角度取得部
２３０  ：制御部
２４０  ：モータ
２５０  ：回転駆動部
２５１  ：中心軸
２５２  ：受信コイル
２５３  ：送信コイル
２５４  ：防磁シート
２５５  ：防磁シート
２５６  ：円盤部
２６１  ：ギア
２６２  ：ギア
２６３  ：ギア
２６４  ：ギア
【図１】
2019193516.tif 000003
【図２】
2019193516.tif 000004
【図３】
2019193516.tif 000005
【図４】
2019193516.tif 000006
【図５】
2019193516.tif 000007
【図６】
2019193516.tif 000008
【図７】
2019193516.tif 000009
【図８】
2019193516.tif 000010
【図９】
2019193516.tif 000011
【図１０】
2019193516.tif 000012
【図１１】
2019193516.tif 000013
【図１２】
2019193516.tif 000014
【図１３】
2019193516.tif 000015
【図１４】
2019193516.tif 000016
【図１５】
2019193516.tif 000017
【図１６】
2019193516.tif 000018
【図１７】
2019193516.tif 000019
【図１８】
2019193516.tif 000020
【図１９】
2019193516.tif 000021
【図２０】
2019193516.tif 000022
【図２１】
2019193516.tif 000023
【図２２】
2019193516.tif 000024
【図２３】
2019193516.tif 000025
【図２４】
2019193516.tif 000026
【図２５】
2019193516.tif 000027